(57)【要約】【課題】      重量積算後の組合せ選択で物品を定量計量する計量装置において、重量ランク範囲内の重量分布に偏りがあるような場合の稼働率向上を図ることを目的とする。【解決手段】  物品を重量計量する計量手段と、該計量手段で計量済みの物品を搬送する搬送手段と、該搬送手段で搬送される物品が重量ランク別に排出される複数の排出位置と、該複数の排出位置へ物品を排出するための排出手段と、排出物品数が所定数になるまで物品単重を積算して、積算重量を求める算出手段と、排出物品数が前記所定数になった後に、最終目標重量から前記積算重量を差引した残り重量を組合せ演算し、残り物品を組合せ選択する選択手段と、を備える計量装置において、前記残り重量の組合せが成立しない場合に、当該組合せが成立しない排出位置に排出する物品の重量ランク範囲を一時的に変更することを特徴とする。【選択図】図１
2009052888.tif 000002
【特許請求の範囲】
【請求項１】
物品を重量計量する計量手段と、
該計量手段で計量済みの物品を搬送する搬送手段と、
該搬送手段で搬送される物品が重量ランク別に排出される複数の排出位置と、
該複数の排出位置へ物品を排出するための排出手段と、
排出物品数が所定数になるまで物品単重を積算して、積算重量を求める算出手段と、
排出物品数が前記所定数になった後に、最終目標重量から前記積算重量を差引した残り重量を組合せ演算し、残り物品を組合せ選択する選択手段と、を備える計量装置において、
前記残り重量の組合せが成立しない場合に、当該組合せが成立しない排出位置に排出する物品の重量ランク範囲を一時的に変更することを特徴とする計量装置。
【請求項２】
請求項１記載の計量装置において、
前記重量ランク範囲を一時的に変更しても組合せが成立しない場合に、前記最終目標重量の許容範囲を一時的に広げることを特徴とする計量装置。
【発明の詳細な説明】
【技術分野】
【０００１】
本発明は、物品を重量ランク別に定量計量するための計量装置に関する。
【背景技術】
【０００２】
従来、魚介類や農産物等の出荷工程において、計量した物品の重量ランクを判定し、同一重量ランクの物品を所定の排出位置に対して搬送順に排出し、各排出位置で重量を積算し、排出物品数が所定数に達した後は、それまでの積算重量との合計値が最終目標重量となるように、残り物品を組合せ選択する計量装置が採用されている。かかる計量装置によれば、排出物品数が前記所定数に達するまでは搬送されてくる物品をすべて順番に排出することができるので、組み合わせる物品数が多い場合でも、高い稼働率を確保できるメリットがある。
【特許文献１】特開２００７−１０５７０２号公報
【発明の開示】
【発明が解決しようとする課題】
【０００３】
しかしながら、重量ランク範囲における物品重量の分布状況によっては、当該重量ランク範囲内に十分な組合せ母数があるにもかかわらず、最終目標重量となる組合せが成立しないことがある。例えば、重量ランク範囲１．０〜２．０ｋｇ未満の物品を、最終目標物品数７個で最終目標重量範囲１０．０ｋｇとなるように定量計量する場合において、物品重量が当該重量ランク範囲の上限値２．０ｋｇ付近に偏っていると、物品３個分の重量を積算した積算重量は６ｋｇ弱となる。したがって、最終目標重量までの残り重量は４ｋｇ強となるが、同重量ランク範囲内の物品が上限値２．０ｋｇ付近に偏っている状況からすれば、残り物品数４個で４ｋｇ強とする組合せは成立し難く、結果的に組合せ不良として強制排出されることになる。
【０００４】
本発明は、重量積算後に組合せ選択して物品を定量計量する計量装置において、重量ランク範囲内の重量分布に偏りがあるような場合に稼働率向上を図ることを目的とする。
【課題を解決するための手段】
【０００５】
請求項１記載の発明は、物品を重量計量する計量手段と、該計量手段で計量済みの物品を搬送する搬送手段と、該搬送手段で搬送される物品が重量ランク別に排出される複数の排出位置と、該複数の排出位置へ物品を排出するための排出手段と、排出物品数が所定数になるまで物品単重を積算して、積算重量を求める算出手段と、排出物品数が前記所定数になった後に、最終目標重量から前記積算重量を差引した残り重量を組合せ演算し、残り物品を組合せ選択する選択手段と、を備える計量装置において、前記残り重量の組合せが成立しない場合に、当該組合せが成立しない排出位置に排出する物品の重量ランク範囲を一時的に変更することを特徴とする計量装置を提供する。
【０００６】
請求項２記載の発明は、請求項１記載の計量装置において、前記重量ランク範囲を一時的に変更しても組合せが成立しない場合に、前記最終目標重量の許容範囲を一時的に広げることを特徴とする計量装置を提供する。
【発明の効果】
【０００７】
本発明の請求項１記載の計量装置によれば、以下の優れた効果を奏する。最終目標重量となる物品の組合せが成立しない場合に、その組合せが成立しない排出位置に対する重量ランク範囲を一時的に変更するので、組合せ不良による強制排出が少なくなり、結果として、稼働率の向上を図ることができる。
【０００８】
本発明の請求項２記載の計量装置によれば、請求項１記載の計量装置が奏する効果に加えて、以下の優れた効果を奏する。重量ランク範囲を変更しても組合せが成立しない場合に、最終目標重量の許容範囲を一時的に広げることで、組合せ選択を成立し易くすることができる。
【発明を実施するための最良の形態】
【０００９】
以下、本発明の実施の形態について、図面を参照しながら説明する。図１は、本実施形態に係る計量装置の正面図、図２は右側面図である。図３は、一時的に変更される重量ランク範囲の算出方法について説明する図であり、図４は、計量装置における処理のフローチャートを示す。なお、図２において、ランク判定手段３、排出制御手段４２、算出手段６、選択手段７、ランク範囲変更手段８、目標重量範囲変更手段９及び記憶手段１０等の制御系は記載省略されている。
【００１０】
（計量装置１）
図１及び図２に示される計量装置１は、上流工程から順次搬入される物品Ｇを重量計量し、その重量ランクを判定し、各重量ランクに応じて設定される最終目標物品数Ｎ個で、最終目標重量ＷＴとなる組合せを成立させることにより定量計量する。具体的には、最終目標物品数Ｎ個より少ない所定数ｎ個の物品単重を積算して、積算重量ΣＷｎを求めた後、最終目標重量ＷＴから積算重量ΣＷｎを差引した残り重量Ｗｒ（＝ＷＴ−ΣＷｎ）を、残りＮ−ｎ個の物品で組合せ演算する。
【００１１】
例えば、重量ランク範囲１．０〜２．０ｋｇの物品を３個重量積算した後、残りを組合せ選択して、最終目標物品数７個、最終目標重量１０．０ｋｇとなるように定量計量する場合、重量積算した３個の物品が１．３ｋｇ、１．４ｋｇ、１．７ｋｇであれば、これらの積算重量は４．４ｋｇとなり、残り物品数４個で残り重量５．６ｋｇ（平均単重１．４ｋｇ）となるように組合せ演算する。
【００１２】
但し、物品重量が重量ランク範囲の上限値２．０ｋｇ付近に偏る等して、例えば物品数３個の積算重量が５．６ｋｇとなった場合、残り物品数４個で、残り重量４．４ｋｇ（平均単重１．１ｋｇ）としなければならず、組合せが成立しないことがある。かかる場合には、当該組合せ演算の対象となる物品の重量ランク範囲を組合せが成立し易くなるように一時的に変更して組合せ演算を行い、それでもなお組合せが成立しない場合には、当該組合せ演算の対象となる最終目標重量の許容範囲を一時的に広げて、再度組合せ演算を行う。
【００１３】
計量装置１は、上記計量処理を行うために、物品Ｇを重量計量する複数の計量手段２１，２２と、計量済み物品の重量ランクを判定するランク判定手段３と、計量済み物品を搬送する搬送手段４１，４２と、搬送物品を重量ランク別に複数の排出位置５１〜１０に排出する排出手段４１ａ・・４１ａと、各排出位置５Ｘにおいて排出物品数ｉが所定数ｎ個になるまで物品単重Ｗｉを積算して、積算重量ΣＷｎを算出する算出手段６と、排出物品数ｉが所定数ｎ個になった後に、最終目標物品数Ｎ個から所定数ｎ個を差引した残り物品数Ｎ−ｎ個で、最終目標重量ＷＴから積算重量を差引した残り重量Ｗｒとする組合せ演算を行い、残り物品を組合せ選択する選択手段７と、上記組合せが成立しない場合に、残り重量Ｗｒ及び残り物品数Ｎ−ｎ個に基づき、当該排出位置５Ｘに排出する物品の重量ランク範囲を一時的に変更するランク範囲変更手段８と、重量ランク範囲を一時的に変更しても上記組合せが成立しない場合に、当該排出位置５Ｘに対する最終目標重量の範囲の上限値を一時的に増目する目標重量範囲変更手段９と、計量手段２１，２２による計量結果（計量データ信号）、各排出位置５Ｘへの排出物品数並びに各手段で求められるデータを記憶する記憶手段１０と、を備える。
【００１４】
（計量手段２１，２２）
計量手段２１，２２は、図１に示されるように、供給コンベアＣ１及び取込コンベアＣ２で連続的に搬入される物品Ｇを下流へ搬送しながら、個別に重量計量する搬送計量コンベアであり、各コンベアの終端側に備えられるタイミングシャッター２１を介して、計量済みの物品Ｇを、搬送手段４１，４２の保持容器４１・・４１に個別供給し、計量データ信号を記憶手段１０に出力する。タイミングシャッター２１は、その底部を開閉するものであって、底部を閉鎖することによって計量済み物品を一旦保持し、空の保持容器４１が下方を通過するタイミングで底部を開放して、保持容器４１に物品Ｇを供給する。
【００１５】
（ランク判定手段３）
ランク判定手段３は、計量手段２１，２２で計量した物品を、計量手段２１，２２の計量結果に基づき、重量に応じて複数設定されたＬ、Ｍ、Ｓ等の重量ランクのいずれに属するか、を判定する。この判定結果は、記憶手段１０に出力され、排出制御手段４２や選択手段７による処理に利用される。
【００１６】
（搬送手段４１，４２及び排出手段４１ａ）
搬送手段４１，４２は、図１に示されるように、計量済み物品Ｇを複数の保持容器４１で個別保持して、循環経路Ｒ沿いに循環搬送するコンベアであって、排出位置５１〜１０に供給する。保持容器４１は、物品Ｇを重量ランク別に、その重量ランクに対応する所定の排出位置５Ｘに排出するための排出手段４１ａ・・４１ａを備える。排出手段４１ａは、計量手段２１，２２から物品Ｇを受けるときに、保持容器４１の底部を閉鎖する一方、保持容器４１が物品を排出する排出位置５Ｘの上方通過時に、該底部を開放して物品Ｇを落下排出する。排出手段４１ａは、排出制御手段４２からの制御信号に基づき、各排出位置５Ｘに対する排出物品数が所定数ｎになるまでは、物品Ｇをその重量ランクに対応する排出位置５Ｘに対して搬送順に単純排出し、排出物品数ｉが所定数ｎ個になった後、選択手段７によって組合せ選択されたＮ−ｎ個の残り物品を排出する。なお、同一重量ランクで排出位置が複数設定されている場合、所定数ｎ個までの物品排出は、各排出位置への物品排出数が均等になるように行われる。
【００１７】
（排出位置５１〜１０）
複数の排出位置５１〜１０は、図１に示されるように、保持容器４１の循環経路Ｒに沿って配置されており、図２に示されるように、搬送コンベア５１と、タイミングホッパ５２を備える。搬送コンベア５１は、保持容器４１から供給された物品Ｇを、図２中の矢印Ｓ方向に搬送し、落下排出する。タイミングホッパ５２は、上下開口したホッパ本体５２１と、その下部開口５２１ａを開閉するゲート５２２と、を備え、下部開口５２１ａを閉鎖した状態で、落下排出された物品を上部開口５２１ｂで受け入れる。そして、合計重量が最終目標重量ＷＴとなる複数物品の組合せがすべて揃った時点で、下部開口５２１ａを開放して、タイミングホッパ５２下方の受箱Ｂに供給する。それらの物品は、作業者によって包装箱に詰替えられる。
【００１８】
（算出手段６）
算出手段６は、各排出位置５Ｘにおける排出物品数ｉが所定数ｎ個になるまで、保持容器４１から排出される物品Ｇの単重Ｗｉを積算し、積算重量ΣＷｎを求め、さらに最終目標重量ＷＴから積算重量ΣＷｎを差引して、残り重量Ｗｒを算出する。算出された積算重量ΣＷｎ及び残り重量Ｗｒは、記憶手段１０に信号出力される。
【００１９】
（選択手段７）
選択手段７は、各排出位置５Ｘにおいて排出物品数ｉが所定数ｎ個になった後、最終目標物品数Ｎ個から所定数ｎ個を差引した残り物品数Ｎ−ｎ個で、残り重量Ｗｒとする組合せ演算を行い、保持容器４１に保持される同一重量ランクの未選択物品の中から残り物品を組合せ選択する。その選択結果は、記憶手段１に信号出力され、排出制御手段４２が、選択結果に基づき、組合せ選択した物品Ｇを保持する保持容器４１の排出手段４１ａに対して排出指示信号を出力する。
【００２０】
（ランク範囲変更手段８）
ランク範囲変更手段８は、所定排出位置５Ｘにおいて選択手段７による組合せ選択が所定時間以上成立しない場合に、当該排出位置５Ｘに排出する物品、すなわち当該組合せ選択の対象とする物品の重量ランク範囲を組合せが成立し易くなるように一時的に変更する。例えば、上述した、重量ランク範囲ＷＬ〜ＷＵ（１．０〜２．０ｋｇ）の物品ｎ個（３個）を重量積算し、残りＮ−ｎ個（４個）を組合せ選択して、最終目標重量ＷＴ（１０．０ｋｇ）＋α（０．４ｋｇ）とする定量計量において、積算重量ΣＷｎ（５．６ｋｇ）、残り重量Ｗｒ（４．４ｋｇ）＋α（０．４ｋｇ）となった場合の重量ランク範囲の変更は、以下のように行われる。なお、αは最終目標重量範囲の許容範囲を規定する許容幅である。
【００２１】
図３に示されるように、残り重量の平均単重Ｗｒ／Ｎ−ｎ（＝４．４ｋｇ/４＝１．１ｋｇ）が、変更後のランク平均単重ＷＡとして設定される。そして、変更後のランク上下限値ＷＵ１，ＷＬ１を求めるために、ランク平均単重ＷＡに対して、変更前のランク範囲幅の１／２であるＷＵ−ＷＬ／２（＝０．５ｋｇ）を加算及び減算する。この加減算によって得られるＷＡ±（ＷＵ−ＷＬ／２）、すなわち１．６ｋｇ及び０．６ｋｇが、原則として、変更後のランク上下限値ＷＵ１，ＷＬ１となる。ただし、下限値ＷＬ１の０．６ｋｇは、変更前の下限値ＷＬである１．０ｋｇを大幅に下回り、既に重量積算されている２．０ｋｇ付近の物品に対して１／３程度以下で、組み合わせられる物品単重のバラツキが目立つ、という出荷品質の低下につながる。
【００２２】
そこで、ランク上下限値の変更にあたっては、変更後の上限値ＷＵ１が大きくなり過ぎる場合、あるいは下限値ＷＬ１が小さくなり過ぎる場合に対応する制限処理が施される。具体的には、１０〜３０％程度の設定率Ｄ（％）なる数値を設け、これと変更前の上下限値ＷＵ，ＷＬに基づいて、上限制限値ＷＵ×（１＋Ｄ／１００）、及び下限制限値ＷＬ×（１−Ｄ／１００）を算出する。そして、加算により求められた上限値ＷＵ１が、上限制限値ＷＵ×（１＋Ｄ／１００）を上回る場合には、この上限制限値を上限値ＷＵ１とし、減算により求められた下限値ＷＬ１が、下限制限値ＷＬ×（１−Ｄ／１００）を下回る場合には、この下限制限値を下限値ＷＬ１とするものである。
【００２３】
例えば設定率を２０％とすると、下限制限値は０．８ｋｇと算出され、上記下限値ＷＬ１（０．６ｋｇ）は下回るため、この下限制限値０．８ｋｇが下限値ＷＬ１とされ、図３に示されるように、変更後の重量ランク範囲は０．８ｋｇ〜１．６ｋｇとなる。なお、設定率Ｄは、変更前の重量ランク範囲に基づいて排出された物品群に対して、どの程度の大きさの物品までを含めるか、及び、稼働率をどの程度に維持するか、の兼ね合いによって定められるものであり、物品の大きさを揃えることを重視する場合には小さく、稼働率を良くすることを重視する場合には大きく設定され、上述した１０〜３０％程度と異なる値に設定しても良い。
【００２４】
以上のようにして求められた重量ランク範囲の上下限値ＷＵ１，ＷＬ１は、記憶手段１０において、積算重量ΣＷｎが５．６ｋｇで、選択手段７による組合せ選択が所定時間以上成立しなかった上記排出位置５Ｘと関連付けて記憶され、上記排出位置５Ｘに排出する物品の組合せ選択に対してのみ、一時的に適用される。
【００２５】
（目標重量範囲変更手段９）
目標重量範囲変更手段９は、ランク範囲変更手段８による重量ランク範囲の変更がなされたにもかかわらず、さらに所定時間以上、組合せが成立しない場合に、当該排出位置５Ｘに対する最終目標重量範囲ＷＴ＋αの上限値を、一時的に増目するように変更する。例えば、変更前の最終目標重量範囲が１０．０ｋｇ＋０．４ｋｇである場合に、許容幅α（０．４ｋｇ）をこれより大きく設定された許容幅α´（０．８ｋｇ）に一時的に変更する。なお、この変更処理は、最終目標重量範囲の上限値を増目するものであるから、主として、ランク範囲変更手段８によって重量ランク範囲を減目方向に変更したにもかかわらず、組合せが成立しない場合に適用される。
【００２６】
（上記実施形態による処理）
以下、上記実施形態による処理を、図４に示されるフローチャートで説明する。このフローチャートは、計量手段２１，２２による計量及びランク判定手段３によるランク判定が終了した所定重量ランクの物品Ｇについて、所定排出位置５Ｘにおける物品排出数ｉが所定数ｎになるまで重量積算し、所定数ｎになった後に、最終目標重量ＷＴまでの残り物品を組合せ選択する処理を示す。ここでは、最終目標重量ＷＴが「１０．０ｋｇ」、その許容幅αが「＋０．４」、最終目標物品数Ｎが「７個」、重量ランク幅「１．０〜２．０ｋｇ」で、所定数ｎ＝「３個」まで重量積算した後に、最終目標物品数７個までの残り物品４個を組合せ演算する例を説明する。
【００２７】
処理が開始される（ステップＡ０）と、当該所定排出位置５Ｘにおける排出物品数ｉのカウンターを「０個」にリセットし（ステップＡ１）、組合せ演算開始までに重量積算する積算物品数ｎを「３個」にセットし（ステップＡ２）、当初の最終目標物品数Ｎを「７個」にセットする（ステップＡ３）。次に、当該所定排出位置５Ｘに対する排出物品数ｉが「ｎ個（３個）」になるまで、物品重量Ｗｉを積算し（ステップＡ４〜Ａ６）、その積算重量ΣＷｎ（ΣＷ３）を最終目標重量ＷＴから差引した残り重量Ｗｒを算出する（ステップＡ７）。ここで、積算重量ΣＷｎを「５．６ｋｇ」とすると、最終目標重量「１０．０ｋｇ」までの残り重量Ｗｒは「４．４ｋｇ」となる。
【００２８】
この残り重量Ｗｒ「４．４ｋｇ」＋許容幅α「０．４ｋｇ」を、残り物品数Ｎ−ｎ「４個」で組合せ演算し（ステップＡ８）、組合せが成立すれば（ステップＡ９）、排出制御手段４２から排出手段４１ａに組合せ物品の排出を指示する制御信号を出力し（ステップＡ１０）、処理を終了する（ステップＡ１１）。しかしながら、所定時間、組合せが成立しない場合には、上述した方法で重量ランク範囲を変更し（ステップＡ１２）、当該重量ランク範囲内の物品で、再び組合せ演算を行い（ステップＡ１３）、組合せが成立すれば（ステップＡ１４）、その排出を指示して（ステップＡ１０）、処理を終了する（ステップＡ１１）。
【００２９】
それでもなお組合せが成立せずに、さらに所定時間経過した場合には、上述したように、最終目標重量範囲の上限値を変更し（ステップＡ１５）、再び組合せ演算を行い（ステップＡ１６）、組合せが成立すれば（ステップＡ１７）、その排出を指示して（ステップＡ１０）、処理を終了する（ステップＡ１１）。一方、最終目標重量範囲の上限値を変更しても、組合せが成立しない場合には、重量積算されていた物品を強制排出して（ステップＡ１８）、処理を終了する（ステップＡ１１）。なお、処理が終了すれば、変更されたランク重量範囲ＷＬ１〜ＷＵ１、及び最終目標重量範囲の許容幅α´は、変更前の設定値ＷＬ〜ＷＵ及びαに戻される。
【００３０】
（上記実施形態の特徴）
上記実施形態に係る計量装置１は、物品Ｇを重量計量する計量手段２１，２２と、計量済みの物品Ｇを搬送する搬送手段４１，４２と、搬送される物品Ｇが重量ランク別に排出される複数の排出位置５１〜１０と、複数の排出位置５１〜１０へ物品を排出するための排出手段４１ａと、排出物品数ｉが所定数ｎになるまで物品単重Ｗｉを積算して、積算重量ΣＷｎを求める算出手段と、排出物品数ｉが所定数ｎになった後に、最終目標重量ＷＴから積算重量ΣＷｎを差引した残り重量Ｗｒを組合せ演算し、Ｎ−ｎ個の残り物品を組合せ選択する選択手段７と、を備えて、残り重量Ｗｒの組合せが成立しない場合に、その組合せが成立しない排出位置５Ｘに排出する物品Ｇの重量ランク範囲ＷＬ〜ＷＵを、組合せがより成立し易いＷＬ１〜ＷＵ１へ一時的に変更して、組合せ演算を行うという特徴を有する。これにより、重量ランク範囲における物品重量に偏りがあっても、組合せ不良による強制排出が少なくなり、結果として、稼働率の向上を図ることができる。
【００３１】
また、上記計量装置１は、物品Ｇの重量ランク範囲を一時的に変更しても、組合せが成立しない場合に、最終目標重量ＷＴの範囲の上限値ＷＴ＋αを一時的に増目したＷＴ＋α´で組合せ演算を行うという特徴を有する。最終目標重量範囲を一時的に広げることで、組合せ選択を成立し易くすることができ、結果として、稼働率の向上を図ることができる。しかも上限値側を増目することとしたので、出荷先で重量不足によるクレームを生じる心配がない。
【００３２】
さらに、上記計量装置１は、物品Ｇの重量ランク範囲を変更するに当って、変更後の上限値ＷＵ１が大きくなり過ぎないように、あるいは変更後の下限値ＷＬ１が小さくなり過ぎないように、上限制限値及び下限制限値を設けているという特徴を有する。これにより、重量ランク範囲を変更して組合せ選択される物品と、既に積算された物品と、の単重のバラツキが抑えられ、出荷品質を良好に維持することができるものである。
【００３３】
（上記実施形態の変形例）
（１）上記実施形態では、物品Ｇの重量ランク範囲を変更するに当って、変更後の上限値ＷＵ１が大きくなり過ぎないように、あるいは変更後の下限値ＷＬ１が小さくなり過ぎないように、上限制限値及び下限制限値を設けることとしたが、このような制限値を設けることなく、変更後のランク平均単重ＷＡに対して、変更前のランク範囲幅の１／２を加算及び減算して得られる数値をすべて、そのまま上下限値ＷＵ１，ＷＬ１として採用しても良い。
【００３４】
（２）上記実施形態及び上記変形例（１）では、最終目標物品数Ｎが一定値（７個）の場合について説明したが、本発明は、これに限らず、最終目標物品数Ｎに所定幅（例えば７〜１０個）が設けられている場合に適用しても良い。
【００３５】
（３）上記実施形態及び上記変形例（１），（２）では、組合せが所定時間成立しなかった場合に、重量ランク範囲を変更することとしたが、例えば、記憶手段１０に記憶された重量データに照らして、残り重量の平均単重１．１ｋｇよりも計量の物品が存在しないと判断される場合等には、実際に組合せ演算をしたり、所定時間の経過を待ったりすることなく、重量ランク範囲を変更することとしても良い。
【００３６】
（４）上記実施形態及び上記変形例（１）〜（３）では、最終目標重量の許容範囲の上限値を増目する場合のみについて説明したが、許容範囲の下限値を減目することにより、最終目標重量の許容範囲を広げることとしても良い。
【００３７】
上記の他、本発明の計量装置は、上記実施形態に限定されず、本発明の要旨を逸脱しない範囲内において種々変更を加え得ることは勿論である。
【図面の簡単な説明】
【００３８】
【図１】本実施形態に係る計量装置の正面図。
【図２】本実施形態に係る計量装置の右側面図。
【図３】一時的に変更される重量ランク範囲の算出方法について説明する図。
【図４】本実施形態に係る計量装置における処理のフローチャート。
【符号の説明】
【００３９】
１        計量装置
２１，２２    計量手段
４１，４２    搬送手段
４１ａ        排出手段
５１〜１０        排出位置
【図１】
2009052888.tif 000003
【図２】
2009052888.tif 000004
【図３】
2009052888.tif 000005
【図４】
2009052888.tif 000006